(57)【要約】【課題】電解コンデンサC4の寿命末期時に、放電灯点灯回路20の動作を停止させる放電灯点灯装置15を提供する。【解決手段】電解コンデンサC4の近傍に熱影響受体32を配置する。熱影響受体32としてインダクタL2を用い、インダクタL2のコアを電解コンデンサC4の近傍に配置する。電解コンデンサC4の寿命末期時の発熱をインダクタL2のコアに受け、このコアが温度上昇する。コアの温度がキューリー温度以上に上昇することにより、インダクタンス値が低減し、回路動作に異常を引き起こす。その結果、電界効果トランジスタQ2，Q3を破壊し、放電灯点灯回路20の動作を停止させる。【選択図】図１
2009135037.tif 000002
【特許請求の範囲】
【請求項１】
電解コンデンサを含む回路部品を有する負荷制御回路と；
電解コンデンサの発熱による熱影響を受ける位置に配置され、電解コンデンサの発熱による熱影響を受けることにより負荷制御回路の遮断および回路部品の破壊の少なくともいずれか一方によって負荷制御回路の動作を停止させる熱影響受体と；
を具備していることを特徴とする負荷制御装置。
【請求項２】
熱影響受体は、回路部品として負荷制御回路に挿入されるコアおよび巻線を有する巻線部品であり、コアが電解コンデンサの発熱による熱影響を受けるように配設される
ことを特徴とする請求項１記載の負荷制御装置。
【請求項３】
熱影響受体は、回路部品として負荷制御回路に挿入されるコアおよび巻線を有する巻線部品であり、巻線が電解コンデンサの発熱による熱影響を受けるように配設される
ことを特徴とする請求項１記載の負荷制御装置。
【請求項４】
熱影響受体は、回路部品として負荷制御回路に挿入される電解コンデンサとは別のコンデンサである
ことを特徴とする請求項１記載の負荷制御装置。
【請求項５】
熱影響受体は、電解コンデンサの発熱による熱影響で溶解して負荷制御回路を遮断する負荷制御回路の導電部材である
ことを特徴とする請求項１記載の負荷制御装置。
【請求項６】
負荷制御回路は、回路部品を搭載する基板を備え、
熱影響受体は、電解コンデンサを基板に接続するとともに、電解コンデンサの発熱による熱影響で溶解して電解コンデンサを基板から脱落させる導電部材である
ことを特徴とする請求項１記載の負荷制御装置。
【請求項７】
負荷制御回路は、回路部品を搭載する基板を備え、
熱影響受体は、回路部品を基板に接続するとともに、電解コンデンサの発熱による熱影響で溶解して回路部品を基板から脱落させる導電部材である
ことを特徴とする請求項１記載の負荷制御装置。
【請求項８】
負荷は放電灯であり、負荷制御回路は放電灯を点灯させる放電灯点灯回路である
ことを特徴とする請求項１ないし７いずれか一記載の負荷制御装置。
【発明の詳細な説明】
【技術分野】
【０００１】
本発明は、負荷を制御する負荷制御装置に関する。
【背景技術】
【０００２】
従来、負荷制御装置として、例えば、蛍光ランプなどの放電灯を点灯させる放電灯点灯装置があり、この放電灯点灯装置では、複数の回路部品が用いられて放電灯点灯回路が構成されている。
【０００３】
回路部品の１つとして平滑に用いられる電解コンデンサがある。この電解コンデンサは、電気伝導体の表面に化学的に酸化皮膜による誘電体層を形成し、電解液に浸したものであり、経年変化に伴う電解液の減少などによる寿命がある。電解コンデンサの寿命末期時には、電解液の減少による容量低下により、等価直列抵抗（ＥＳＲ）が上昇し、その結果、異常発熱して温度が２００℃近くに上昇し、やがて熱暴走して発煙する場合もある。
【０００４】
そこで、電解コンデンサの特性変化を検出回路で検出し、その検出された特性変化に基づいて寿命判定回路で電解コンデンサの寿命を判定している（例えば、特許文献１参照。）。
【特許文献１】特開２００６−２３６６６６号公報（第４−５頁、図１）
【発明の開示】
【発明が解決しようとする課題】
【０００５】
しかしながら、電解コンデンサの特性変化を検出する検出回路や、検出された特性変化に基づいて電解コンデンサの寿命を判定する寿命判定回路にも、経年変化や異常などを生じるおそれがあり、電解コンデンサの寿命を正確に判定できず、回路の動作停止などの対応を的確にできない問題がある。
【０００６】
本発明は、このような点に鑑みなされたもので、電解コンデンサの寿命末期時に負荷制御回路の動作を確実に停止させることができる負荷制御装置を提供することを目的とする。
【課題を解決するための手段】
【０００７】
請求項１記載の負荷制御装置は、電解コンデンサを含む回路部品を有する負荷制御回路と；電解コンデンサの発熱による熱影響を受ける位置に配置され、電解コンデンサの発熱による熱影響を受けることにより負荷制御回路の遮断および回路部品の破壊の少なくともいずれか一方によって負荷制御回路の動作を停止させる熱影響受体と；を具備しているものである。
【０００８】
負荷制御回路は、例えば、放電灯やモータなどの負荷を制御する回路である。
【０００９】
回路部品には、例えば、電解コンデンサなどのコンデンサ、チョークやインダクタなどの巻線部品、電界効果トランジスタなどのスイッチング素子など、負荷制御回路を構成する回路部品が含まれる。
【００１０】
熱影響受体は、例えば、巻線部品、コンデンサ、ヒューズおよびＩＣなどの回路部品自体があり、その他には回路中に配置される導電部材や回路部品を基板に接続する導電部材などが含まれる。熱影響受体は、電解コンデンサの発熱による熱影響を受けて異常を引き起こしたり破壊あるいは溶解されることにより、負荷制御回路の動作異常や負荷制御回路の遮断によって他の回路部品などを破損させることで負荷制御回路の動作を間接的に停止させたり、負荷制御回路の遮断によって直接的に停止させる。
【００１１】
請求項２記載の負荷制御装置は、請求項１記載の負荷制御装置において、熱影響受体は、回路部品として負荷制御回路に挿入されるコアおよび巻線を有する巻線部品であり、コアが電解コンデンサの発熱による熱影響を受けるように配設されるものである。
【００１２】
電解コンデンサの発熱による熱影響をコアに受けて巻線部品が異常を引き起こすことにより、負荷制御回路の動作に異常を引き起こして他の回路部品などを破損させ、負荷制御回路の動作を停止させる。
【００１３】
請求項３記載の負荷制御装置は、請求項１記載の負荷制御装置において、熱影響受体は、回路部品として負荷制御回路に挿入されるコアおよび巻線を有する巻線部品であり、巻線が電解コンデンサの発熱による熱影響を受けるように配設されるものである。
【００１４】
電解コンデンサの発熱による熱影響を巻線部品の巻線に受け、巻線が破壊されることにより、負荷制御回路の動作に異常を引き起こして他の回路部品などを破損させ、負荷制御回路の動作を停止させる。
【００１５】
請求項４記載の負荷制御装置は、請求項１記載の負荷制御装置において、熱影響受体は、回路部品として負荷制御回路に挿入される電解コンデンサとは別のコンデンサであるものである。
【００１６】
コンデンサは、例えば、熱に対して比較的弱いメタライズドポリプロピレンコンデンサであり、電解コンデンサの発熱による熱影響を受けたコンデンサが破壊されることにより、負荷制御回路の動作に異常を引き起こして他の回路部品などを破損させ、負荷制御回路の動作を停止させる。
【００１７】
請求項５記載の負荷制御装置は、請求項１記載の負荷制御装置において、熱影響受体は、電解コンデンサの発熱による熱影響で溶解して負荷制御回路を遮断する負荷制御回路の導電部材であるものである。
【００１８】
導電部材は、例えば、はんだなどの溶解する導電部材であり、電解コンデンサの発熱による熱影響を受けて溶解することにより、負荷制御回路を遮断し、負荷制御回路の動作を停止させる。
【００１９】
請求項６記載の負荷制御装置は、請求項１記載の負荷制御装置において、負荷制御回路は、回路部品を搭載する基板を備え、熱影響受体は、電解コンデンサを基板に接続するとともに、電解コンデンサの発熱による熱影響で溶解して電解コンデンサを基板から脱落させる導電部材であるものである。
【００２０】
導電部材は、例えば、はんだなどの溶解する導電部材である。
【００２１】
電解コンデンサは、基板の下面などに搭載され、導電部材が電解コンデンサの発熱による熱影響を受けて溶解することにより、電解コンデンサが自重で基板から脱落して負荷制御回路を遮断し、負荷制御回路の動作を停止させる。
【００２２】
請求項７記載の負荷制御装置は、請求項１記載の負荷制御装置において、負荷制御回路は、回路部品を搭載する基板を備え、熱影響受体は、回路部品を基板に接続するとともに、電解コンデンサの発熱による熱影響で溶解して回路部品を基板から脱落させる導電部材であるものである。
【００２３】
導電部材は、例えば、はんだなどの溶解する導電部材である。
【００２４】
回路部品は、基板の下面などに搭載され、導電部材が電解コンデンサの発熱による熱影響を受けて溶解することにより、回路部品が自重で基板から脱落して負荷制御回路を遮断し、負荷制御回路の動作を停止させる。
【００２５】
請求項８記載の負荷制御装置は、請求項１ないし７いずれか一記載の負荷制御装置において、負荷は放電灯であり、負荷制御回路は放電灯を点灯させる放電灯点灯回路であるものである。
【００２６】
放電灯は、例えば、蛍光ランプや高輝度放電ランプなどのいずれでもよい。
【発明の効果】
【００２７】
請求項１記載の負荷制御装置によれば、電解コンデンサの発熱によってその熱影響を熱影響受体が受け、負荷制御回路の遮断および回路部品の破壊の少なくともいずれか一方によって負荷制御回路の動作を停止させるため、電解コンデンサの寿命末期時に負荷制御回路の動作を確実に停止させることができる。
【００２８】
請求項２記載の負荷制御装置によれば、請求項１記載の負荷制御装置の効果に加えて、熱影響受体である巻線部品のコアが電解コンデンサの発熱による熱影響を受け、この巻線部品が異常を引き起こすことにより、負荷制御回路の動作に異常を引き起こして他の回路部品などを破損させ、負荷制御回路の動作を確実に停止させることができる。
【００２９】
請求項３記載の負荷制御装置によれば、請求項１記載の負荷制御装置の効果に加えて、熱影響受体である巻線部品の巻線が電解コンデンサの発熱による熱影響を受け、この巻線部品の巻線が破壊されることにより、負荷制御回路の動作に異常を引き起こして他の回路部品などを破損させ、負荷制御回路の動作を確実に停止させることができる。
【００３０】
請求項４記載の負荷制御装置によれば、請求項１記載の負荷制御装置の効果に加えて、熱影響受体であるコンデンサに電解コンデンサの発熱による熱影響を受け、このコンデンサが破壊されることにより、負荷制御回路の動作に異常を引き起こして他の回路部品などを破損させ、負荷制御回路の動作を確実に停止させることができる。
【００３１】
請求項５記載の負荷制御装置によれば、請求項１記載の負荷制御装置の効果に加えて、熱影響受体である負荷制御回路の導電部材が電解コンデンサの発熱による熱影響を受けて溶解することにより、負荷制御回路を遮断し、負荷制御回路の動作を確実に停止させることができる。
【００３２】
請求項６記載の負荷制御装置によれば、請求項１記載の負荷制御装置の効果に加えて、熱影響受体である電解コンデンサを基板に接続する導電部材が電解コンデンサの発熱による熱影響を受けて溶解し、電解コンデンサが基板から脱落することにより、負荷制御回路を遮断し、負荷制御回路の動作を確実に停止させることができる。
【００３３】
請求項７記載の負荷制御装置によれば、請求項１記載の負荷制御装置の効果に加えて、熱影響受体である回路部品を基板に接続する導電部材が電解コンデンサの発熱による熱影響を受けて溶解し、回路部品が基板から脱落することにより、負荷制御回路を遮断し、負荷制御回路の動作を確実に停止させることができる。
【００３４】
請求項８記載の負荷制御装置によれば、請求項１ないし７いずれか一記載の負荷制御装置の効果に加えて、放電灯を点灯させる放電灯点灯回路に利用できる。
【発明を実施するための最良の形態】
【００３５】
以下、本発明の実施の形態を、図面を参照して説明する。
【００３６】
図１ないし図３に第１の実施の形態を示し、図１は負荷制御装置の回路図であり、図２は負荷制御装置の電解コンデンサと巻線部品を示し、(a)は平面図、(b)は側面図であり、図３は負荷制御装置を適用した照明器具の斜視図である。
【００３７】
図３に示すように、照明器具11は、器具本体12を有し、この器具本体12の長手方向の両端にソケット13が取り付けられ、これらソケット13間に負荷としての直管形蛍光ランプである放電灯14が接続されている。器具本体12内には、放電灯14を点灯させる負荷制御装置としての放電灯点灯装置15が配設されている。
【００３８】
図１に示すように、放電灯点灯装置15の負荷制御回路としての放電灯点灯回路20は、電源ｅにヒューズF1を介してフィルタ回路21を構成するコンデンサC1、コモンモードチョークTr1、コンデンサC2が接続されている。
【００３９】
このフィルタ回路21には全波整流回路22の入力端子が接続され、全波整流回路22の出力端子にはコンデンサC3が接続され、このコンデンサC3に対して並列に昇圧チョッパ回路23が接続されている。
【００４０】
昇圧チョッパ回路23は、インダクタL1およびスイッチング素子としての電界効果トランジスタQ1が接続され、この電界効果トランジスタQ1に対して並列にダイオードD1および平滑用の電解コンデンサC4の直列回路が接続されている。
【００４１】
昇圧チョッパ回路23にはインバータ回路25が接続され、このインバータ回路25は直列に一対のスイッチング素子としての電界効果トランジスタQ2，Q3が接続されている。これら電界効果トランジスタQ2，Q3のゲートには駆動回路26が接続され、この駆動回路26により電界効果トランジスタQ2および電界効果トランジスタQ3を交互にオン、オフさせる。また、駆動回路26は、電界効果トランジスタQ1のゲートにも接続され、電界効果トランジスタQ1をオン、オフさせる。
【００４２】
電界効果トランジスタQ3には、直流カット用のコンデンサC5を介して、インダクタL2および共振用のコンデンサC6の直列回路が接続され、放電灯14のそれぞれのフィラメントFL1，FL2の一端に接続されている。フィラメントFL1，FL2にはインダクタL2に磁気的に結合されたフィラメント予熱巻線L3，L4および予熱用のコンデンサC7，C8の直列回路が接続されており、共振回路27が形成されている。
【００４３】
そして、放電灯点灯回路20は、電源ｅの投入により、フィルタ回路21を通じて全波整流回路22で全波整流し、昇圧チョッパ回路23の電界効果トランジスタQ1を駆動回路26で制御して昇圧し、電解コンデンサC4を充電する。駆動回路26で電界効果トランジスタQ2，Q3を交互にオン、オフし、電解コンデンサC4に充電された電圧により、放電灯14に高周波電圧を供給して放電灯14を点灯させる。
【００４４】
また、図２に示すように、放電灯点灯回路20を構成する各回路部品28が基板31に搭載されている。基板31は、絶縁基板に導電性のパターンを形成したプリント配線基板であり、パターンに接続されて放電灯点灯回路20を構成する各回路部品28が搭載されている。
【００４５】
基板31上の電解コンデンサC4の近傍位置であって、電解コンデンサC4の寿命末期時などに生じる異常発熱による熱影響を受けることが可能な位置には、この電解コンデンサC4の異常発熱による熱影響を受けて放電灯点灯回路20の遮断および回路部品28の破壊の少なくともいずれか一方によって放電灯点灯回路20の動作を停止させる熱影響受体32が配置されている。
【００４６】
この熱影響受体32としては、巻線部品としてのインダクタL2が用いられている。このインダクタL2は、コア35および巻線36を有し、コア35の側面が電解コンデンサC4に対向されて近接配置されている。
【００４７】
そして、電解コンデンサC4の寿命末期時には、電解液の減少による容量低下により、等価直列抵抗（ＥＳＲ）が上昇し、その結果、温度が２００℃近くに上昇する。
【００４８】
その電解コンデンサC4の熱影響を近傍に配置されているインダクタL2のコア35が受け、このコア35が温度上昇する。コア35の温度がキューリー温度以上に上昇することにより、インダクタンス値が低減し、回路動作に異常を引き起こし、その結果、電界効果トランジスタQ2，Q3を破壊し、放電灯点灯回路20の動作を停止させることができる。
【００４９】
次に、図４に第２の実施の形態を示し、図４は負荷制御装置の電解コンデンサと巻線部品であり、(a)は平面図、(b)は側面図である。
【００５０】
熱影響受体32としては、コア35および巻線36を有するインダクタL2が用いられているが、このインダクタL2の巻線36の側面が電解コンデンサC4に対向されて近接配置されている。
【００５１】
そして、寿命末期時に異常発熱する電解コンデンサC4の熱影響を近傍に配置されているインダクタL2の巻線36が受け、この巻線36が温度上昇する。巻線36の温度上昇によって巻線36の被覆が破壊され、レアショート状態となることで、インダクタンス値が低減し、回路動作に異常を引き起こし、その結果、電界効果トランジスタQ2，Q3を破壊し、放電灯点灯回路20の動作を停止させることができる。
【００５２】
次に、図５に第３の実施の形態を示し、図５は負荷制御装置の電解コンデンサと別のコンデンサであり、(a)は平面図、(b)は側面図である。
【００５３】
熱影響受体32としては、コンデンサC5およびコンデンサC6の少なくともいずれか１つが用いられる。これらコンデンサC5，C6はフィルムコンデンサであり、直流カット用のコンデンサC5には例えばポリプロピレンコンデンサが用いられることが多く、コンデンサC6にはメタライズドポリプロピレンコンデンサが多く用いられている。
【００５４】
そして、寿命末期時に異常発熱する電解コンデンサC4の熱影響を近傍に配置されているコンデンサC5，C6に受け、このコンデンサC5，C6が温度上昇する。コンデンサC5，C6の温度上昇により、フィルムが収縮して容量抜けなどの破壊を引き起こし、このコンデンサC5，C6の破壊によって回路動作に異常を引き起こし、その結果、電界効果トランジスタQ2，Q3を破壊し、放電灯点灯回路20の動作を停止させることができる。
【００５５】
次に、図６に第４の実施の形態を示し、図６は負荷制御装置の電解コンデンサとヒューズであり、(a)は平面図、(b)は側面図である。
【００５６】
熱影響受体32としては、温度ヒューズ40が用いられる。この温度ヒューズ40は、放電灯点灯回路20の遮断により放電灯点灯回路20の動作を停止可能とする位置に挿入されている。この放電灯点灯回路20の遮断により放電灯点灯回路20の動作を停止可能とする位置としては、例えば、電源ｅの一端または他端に接続されていてインバータ回路25などの主回路に電源供給する主回路ループ41の位置、電界効果トランジスタQ1，Q2，Q3を駆動する駆動回路26の位置、電解コンデンサC4と直列となる位置などがある。さらに、主回路ループ41の位置としては、例えば、電源入力側の位置、昇圧チョッパ回路23の位置、共振回路27の位置などがある。
【００５７】
そして、寿命末期時に異常発熱する電解コンデンサC4の熱影響を近傍に配置されている温度ヒューズ40に受け、この温度ヒューズ40が切れ、この温度ヒューズ40が挿入されている放電灯点灯回路20の回路部分を遮断する。
【００５８】
温度ヒューズ40が主回路ループ41の位置に挿入されている場合には、温度ヒューズ40が切れることにより、主回路ループ41が遮断され、インバータ回路25などの主回路への電源供給が停止されることにより、放電灯点灯回路20の動作を停止させることができる。
【００５９】
温度ヒューズ40が駆動回路26の位置に挿入されている場合には、温度ヒューズ40が切れることにより、駆動回路26の動作が停止し、その結果、回路動作に異常を引き起こし、電界効果トランジスタQ2，Q3が破壊されることにより、放電灯点灯回路20の動作を停止させることができる。
【００６０】
温度ヒューズ40が電解コンデンサC4と直列となる位置に挿入されている場合には、温度ヒューズ40が切れることにより、電解コンデンサC4の蓄電回路が遮断され、その結果、回路動作に異常を引き起こし、電界効果トランジスタQ2，Q3が破壊されることにより、放電灯点灯回路20の動作を確実に停止させることができる。
【００６１】
次に、図７に第５の実施の形態を示し、図７は負荷制御装置の電解コンデンサと基板の側面図である。
【００６２】
基板31の下面に電解コンデンサC4が配置され、この電解コンデンサC4のリード線44が基板31の挿入孔を通じて上面に挿通されて基板31の上面でパターンにはんだなどの導電部材45によって接続保持されている。電解コンデンサC4のリード線44は基板31の挿入孔に対して直線状に挿入されている。
【００６３】
熱影響受体32としては、電解コンデンサC4のリード線44を基板31に接続するととともに、電解コンデンサC4の寿命末期時の異常発熱による熱影響で溶解可能とする導電部材45である。
【００６４】
そして、寿命末期時に異常発熱する電解コンデンサC4の熱影響を近傍に配置されている導電部材45に受けて溶解することにより、電解コンデンサC4が自重で基板31から脱落し、その結果、電解コンデンサC4が挿入されている放電灯点灯回路20の回路部分を遮断し、放電灯点灯回路20の動作を停止させることができる。
【００６５】
次に、図８ないし図１０に第６の実施の形態を示し、図８は負荷制御装置の電解コンデンサと回路部品と基板の側面図であり、図９は基板側から見た底面図であり、図１０は電解コンデンサと回路部品の回路図である。
【００６６】
電解コンデンサC4と直列に回路部品としての抵抗R1，R2を挿入する。これら抵抗R1，R2は抵抗値が０Ωでもよい。
【００６７】
基板31の上面に電解コンデンサC4が配置され、この電解コンデンサC4のリード線44が基板31の挿入孔を通じて下面に挿通されて基板31の下面でパターン51にはんだなどの導電部材45によって接続保持されている。
【００６８】
抵抗R1，R2は、面実装部品であり、電解コンデンサC4の位置に対応した基板31の下面で、基板31のパターンにはんだなどの導電部材48によって接続保持されている。
【００６９】
そして、寿命末期時に異常発熱する電解コンデンサC4の熱影響を近傍に配置されている抵抗R1，R2の導電部材48に受けて溶解することにより、抵抗R1，R2が自重で基板31から脱落し、その結果、抵抗R1，R2が挿入されている放電灯点灯回路20の回路部分を遮断し、放電灯点灯回路20の動作を停止させることができる。
【００７０】
なお、抵抗R1，R2は、いずれか１つでもよいが、２つ以上用いることにより電解コンデンサC4の寿命末期時の停止動作が確実になる。
【００７１】
また、熱影響受体32としては、電解コンデンサC4の近傍に配置される基板31のパターン間を接続するはんだなどの導電部材でもよい。この場合、寿命末期時に異常発熱する電解コンデンサC4の熱影響を近傍に配置されている導電部材に受けて溶解することにより、放電灯点灯回路20のパターンを遮断し、放電灯点灯回路20の動作を停止させることができる。
【００７２】
なお、複数の電解コンデンサを用いる負荷制御回路の場合、最短寿命となる電解コンデンサを動作停止動作の対象とすることにより、電解コンデンサの寿命による回路の動作停止を確実できる。また、回路の変動の少ない場所に配置される電解コンデンサを動作停止動作の対象としてもよく、そのような場所では電解コンデンサが常に同様の状態で使用されるので電解コンデンサの寿命末期時の検出を確実にできる。
【００７３】
また、負荷制御装置としては、放電灯点灯装置に限らす、例えば、負荷としてモータを制御する駆動制御装置などにも適用できる。
【図面の簡単な説明】
【００７４】
【図１】本発明の第１の実施の形態を示す負荷制御装置の回路図である。
【図２】同上負荷制御装置の電解コンデンサと巻線部品を示し、(a)は平面図、(b)は側面図である。
【図３】同上負荷制御装置を適用した照明器具の斜視図である。
【図４】本発明の第２の実施の形態を示す負荷制御装置の電解コンデンサと巻線部品であり、(a)は平面図、(b)は側面図である。
【図５】本発明の第３の実施の形態を示す負荷制御装置の電解コンデンサと別のコンデンサであり、(a)は平面図、(b)は側面図である。
【図６】本発明の第４の実施の形態を示す負荷制御装置の電解コンデンサとヒューズであり、(a)は平面図、(b)は側面図である。
【図７】本発明の第５の実施の形態を示す負荷制御装置の電解コンデンサと基板の側面図である。
【図８】本発明の第６の実施の形態を示す負荷制御装置の電解コンデンサと回路部品と基板の側面図である。
【図９】同上基板側から見た底面図である。
【図１０】同上電解コンデンサと回路部品の回路図である。
【符号の説明】
【００７５】
14    負荷としての放電灯
15    負荷制御装置としての放電灯点灯装置
20    負荷制御回路としての放電灯点灯回路
28    回路部品
32    熱影響受体
35    コア
36    巻線
45，48    導電部材
C4    電解コンデンサ
C5，C6    コンデンサ
L2    巻線部品としてのインダクタ
R1，R2    回路部品としての抵抗
【図１】
2009135037.tif 000003
【図２】
2009135037.tif 000004
【図３】
2009135037.tif 000005
【図４】
2009135037.tif 000006
【図５】
2009135037.tif 000007
【図６】
2009135037.tif 000008
【図７】
2009135037.tif 000009
【図８】
2009135037.tif 000010
【図９】
2009135037.tif 000011
【図１０】
2009135037.tif 000012